(57)【要約】【課題】金型の成形が簡単に行なえると共に製作も簡単に行なえるばかりでなくその製作費用も低廉に成し得る表示装置を提供する。【解決手段】遊技機Ｐの前面側または該遊技機Ｐが装着される島台の前面側に配設される表示装置Ａであって、発光源２２と、前記発光源２２が内側面に臨むようにして配置される凹窪状のリフレクタ本体７ａと、前記リフレクタ本体７ａの前側を覆う透光性のカバー部材４とからなり、前記リフレクタ本体７ａの内側面に反射フィルム１４を貼着した構成からなる。【選択図】図３
2005125008.tif 000002
【特許請求の範囲】
【請求項１】
遊技機の前面側または該遊技機が装着された島台の前面側に配設される表示装置であって、
発光源と、前記発光源が内側面に臨むようにして配置される凹窪状のリフレクタ本体と、前記リフレクタ本体の前側を覆う透光性のカバー部材とからなり、前記リフレクタ本体の内側面に反射フィルムを貼着したことを特徴とする表示装置。
【請求項２】
前記カバー部材は、半透明の素材により成形されている請求項１記載の表示装置。
【発明の詳細な説明】
【技術分野】
【０００１】
この発明は、遊技機の前面側などに配設され、遊技の興趣を高めるときなど遊技状態に応じて点灯あるいは点滅させるようにした表示装置に関するものである。
【背景技術】
【０００２】
従来、例えば遊技機の一種であるパチスロ機には、その前面側に表示装置が配置され、大当り時に遊技の興趣を高めるなど遊技状態に応じて前記表示装置を点灯または点滅させるようにしている。この表示装置は、ランプやＬＥＤ等の発光源が内装されると共に前側には内側面がダイヤカットされ、前記発光源から放射される光を拡散して光らせる透光性のカバー部材が装着されている。このように、前記表示装置では、透光性のカバー部材を使用し光を拡散させて光の拡散効果を上げるようにしているが、前記カバー部材だけでは光の拡散効果が十分に上がらず、表示装置における表示が立体感に欠けて、遊技者にインパクトを与えるような表示効果を発揮することができないという課題があった。
【０００３】
前記課題を解決するものとして、例えば発光源と、この発光源から放射された光を拡散させるため内側面である反射面が階段状をなすリフレクタを備え、該階段状の反射面により恰も多くの位置に置かれた複数の発光源によって照明されているような印象を観者に与えることで、立体感が出せ遊技者にインパクトを与えるような十分な表示効果が得られるようにした表示装置がある。
【特許文献１】特開平１１−１５６００１号公報(第２−３頁、図１)
【発明の開示】
【発明が解決しようとする課題】
【０００４】
しかしながら、前記特許文献１の表示装置では、リフレクタが合成樹脂材により成形され反射面が階段状をなすなど複雑な構造を採る必要性があることから、金型の製作が面倒であって多くの製作時間が掛かるばかりか金型の製作費が嵩み、更には、その反射面にアルミニウム等の金属からなる光反射層を蒸着、メッキ、あるいはコーティングの手法によって成形するようにしているので、表示装置の製作に手間を取り、製作費も嵩むという課題がある。
【０００５】
そこで、本発明は上記課題を解決すべくなされたもので、金型の成形が簡単に行なえると共に製作も簡単に行なえるばかりでなくその製作費用も低廉に成し得る表示装置を提供することを目的とするものである。
【課題を解決するための手段】
【０００６】
かかる目的を達成するため本発明に係る表示装置は、遊技機の前面側または該遊技機が装着される島台の前面側に配設される表示装置であって、発光源と、前記発光源が内側面に臨むようにして配置される凹窪状のリフレクタ本体と、前記リフレクタ本体の前側を覆う透光性のカバー部材とからなり、前記リフレクタ本体の内側面に反射フィルムを貼着した構成からなる。
【０００７】
前記カバー部材は、半透明な素材により成形されていることが好ましい。
【発明の効果】
【０００８】
本発明の表示装置は、リフレクタの内側面に反射フィルムを貼着するようにしたので、リフレクタの内側面はほとんど凹凸のない弧面または扁平面に成形すれば良く、これにより金型の成形が容易になるばかりか、その製作時間が短縮でき製作費用の低廉が可能となる。しかも、前記リフレクタの内側面に反射フィルムを貼着するのみで良いことから、表示装置の製作が簡単になりその製作費も低廉になし得るという有益な効果がある。
【０００９】
前記カバー部材を半透明な部材により成形するようにすれば、リフレクタの反射フィルムにより乱反射された光がカバー部材にオーロラの如き幻想的な光模様を現出して、斬新な表示効果が得られ、これにより遊技の興趣を高めることもできる。
【発明を実施するための最良の形態】
【００１０】
以下、本発明に係る表示装置の実施の形態を図面に基づき説明する。本発明に係る表示装置は、パチンコ遊技機、パチスロ機、スロットマシン機、アレンジボール機、雀球遊技機等の遊技機、またはこれら遊技機が列設して装着されるホールの島台であって、これら前面側に設けられるものである。そこで、本発明にあっては、その一例としてパチンコ遊技機の遊技盤面に装着される表示装置について説明する。
【００１１】
図１は本発明に係る表示装置の斜視図、図２は同分解斜視図、図３は同遊技盤に装着した状態の縦断面図である。図においてＡは表示装置であり、後記する遊技盤４２面に取付けられる取付基板１を有する。該取付基板１は、後記する内側ガイドレール４５ａの内側に沿って配置される関係上、その一側外側縁が円弧状に成形されている。また、取付基板１の所定位置には遊技盤４２に取付けるための取付用孔２が設けられている。
【００１２】
前記取付基板１の上部に円形状の開口３が開設され、該開口３に透光性（本実施の形態では有色で透明である。）のカバー部材４が嵌着される。カバー部材４は、外周縁に前記開口３の裏面内周縁に当接する環状リブ５が周設され、その一側に開口３に嵌着したときその無用な回転を防止する規制片６が突設されている。また、カバー部材４の内側面には、光を拡散させるダイヤカットが施されている。
【００１３】
更に、カバー部材４の後側にリフレクタ７が配置される。リフレクタ７は、リフレクタ本体７ａと後記する反射フィルム４，４ａとからなる。リフレクタ本体７ａは、合成樹脂材により成形され、前面が解放すると共に内側面が後方へ向かうに従い漸次窄まる椀型漏斗状に成形されている。そして、その中央に方形状の通孔８が開設され、この通孔８に後記する発光源であるＬＥＤ２２が臨むことになる。発光源は、ランプであっても良い。また、リフレクタ本体７ａの外周縁の一側に前記規制片６が嵌り込む凹部９が設けられ、外周縁の上下縁部には、取付用孔１０が設けられる。そして、規制片６を凹部９に嵌め込むと共に取付用孔１０，１０を前記取付基板１裏側に対応して突設される各ボス１１後面の螺子孔１２にそれぞれ合致させ、各取付用孔１０を介して各螺子孔１２に螺子１３を螺子締めする。これにより、カバー部材４が取付基板１との間で挟まれるようにして取付基板１にリフレクタ７が取着される。
【００１４】
前記リフレクタ本体７ａの内側面には、その全体に反射フィルム１４が貼着される。反射フィルム１４は所定形状に成形されており、図４（イ）に示すように透明なポリエチレンテレフタレート樹脂（以下、単に「ＰＥＴ樹脂」という。）シート１５の裏面に接着剤と共に偏向性粉末であるラメ層１６が積層され、更にその裏面に塩化ビニール樹脂シート１７が貼着され、該塩化ビニール樹脂シート１７の裏面に接着剤層１８を介して離型紙１９が貼着されている。そして、通常は離型紙１９を剥がして使用に供される。この反射フィルム１４は、表面のＰＥＴ樹脂シート１５側からラメ層１６に光があたると乱反射してラメ層１６全体が面状にキラキラと光り輝く。
【００１５】
図４（ロ）は、他の実施の形態に係る反射フィルムを示すものである。この反射フィルム１４ａは、ＰＥＴ樹脂シート１５ａの表面に銀を蒸着したホトグラム層２０が成形され、このホトグラム層２０の表面には幾何学的な凹凸模様部２１が成形されている。また、前記ＰＥＴ樹脂シート１５ａの裏面に接着剤層１８を介して離型紙１９が貼着される。前記ホトグラム層２０の表面には接着剤層１８を介して透明なＰＥＴ樹脂シート１５が貼着されている。この場合も、ホトグラム層２０に表面のＰＥＴ樹脂シート１５側から光があたると乱反射してホトグラム層２０全体が面状にキラキラと光り輝く。本実施の形態では上記２種類の反射フィルムを挙げて説明したが、これらに限られるものではなく他の種類の反射フィルムであっても良い。
【００１６】
このように、本発明にあってはリフレクタ本体７ａの内側面に反射フィルム１４または反射フィルム１４ａを貼着するようにしたので、リフレクタ本体７ａの内側面はほとんど凹凸のない弧面または扁平面に成形すれば良い。これにより金型が複雑化せずその成形が容易になるばかりかその製作時間が短縮できることとなり、製作費用の低廉も可能となる。しかも、前記リフレクタ本体７ａの内側面に反射フィルム１４，１４ａを貼着するのみで良いことから、表示装置Ａの製作が簡単になりその製作費も低廉になし得る。
【００１７】
前記リフレクタ７の後側に、前面に取り付けられたＬＥＤ２２が前記通孔８に臨むようにしてＬＥＤ基板２３が配置される。前記ＬＥＤ２２は赤、緑、青の三色に発光する素子からなり、これらの光量を変えることにより、所望の色に発光できるようになっている。ＬＥＤ基板２３には、上下部にそれぞれ取付用孔２４が設けられている。前記リフレクタ７は、ＬＥＤ２２が反射フィルム１４に臨みかつ該ＬＥＤ２２を囲うようにして配置されることになる。
【００１８】
更に、前記ＬＥＤ基板２３の後側に取付基板１とほぼ同じ形状の基盤カバー２５が配置される。この基盤カバー２５にも前記ＬＥＤ基板２３の各取付用孔２４と対応するものを含めて複数個の取付用孔２４が設けられる。そして、一部ＬＥＤ基板２３の各取付用孔２４と基板カバー２５の各取付用孔２４を合わせ、基盤カバー２５の各取付用孔２４をこれらと対向して取付基板１裏側に突設されるボス２６後面の螺子孔２７に合致させ、各取付用孔２４，２４を介して各螺子孔２７に螺子２８を螺締めする。これにより、取付基板１にＬＥＤ基板２３及び基盤カバー２５が同時に取付けられる。
【００１９】
一方、前記取付基板１の下部に球入口２９が開設され、該球入口２９の前側に該球入口２９を囲うようにしてチャッカー３０が取り付けられる。チャッカー３０は上面と後面が開口し、後面の両側に設けられた各螺子孔３１を前記球入口２９両側の取付基板１に設けられた各取付用孔３２に合致させ、各取付用孔３２を介して裏側から各螺子孔３１に螺子３３が螺締めされる。また、球入口２９には球検出器３４が装着され、チャッカー３０に入賞したパチンコ球は球検出器３４を通過し入賞球として電気的に検出されると共に球入口２９を介して後方へ排出されるようになっている。
【００２０】
図５は他の実施の形態に係るカバー部材を示すものである。このカバー部材４ａは、前記カバー部材４とほぼ同じ形状を成すことから、同一部位は同じ番号を付すことにより詳細な説明は割愛する。このカバー部材４ａは、半透明な合成樹脂材から成形され、内側面にはダイヤカットは成形されていない。このカバー部材４ａでは、半透明であることから乱反射された光がカバー部材４ａの表面に恰もオーロラの如き幻想的な光模様を現出する。これにより、斬新な表示効果が得られ遊技の興趣を高めることができる。
【００２１】
図６は、本発明が適用されるパチンコ遊技機Ｐを示す。このパチンコ遊技機Ｐは、外枠４０の前面に前枠４１が装着され、該前枠４１に遊技盤４２が設置されている。また、前枠４１の前面に前記遊技盤４２前面の遊技部４２ａが臨む窓開口４３ａを備えた透明板保持扉４３とその下方に位置する前面板４４とが一側を支点として開閉自在に軸着されている。
【００２２】
前記遊技盤４２の前面には、遊技部４２ａを囲うように内側のガイドレール４５ａと外側のガイドレール４５ｂとが渦巻き状に配設される。前記遊技部４２ａには、そのほぼ中央に表示部４６ａを備えた可変表示器４６が配置され、また、その下方に遊技球であるパチンコ球の入賞により前記表示部４６ａの文字、数字、図形等の表示を変動表示させる始動入賞口４７が配置される。更に、その下方に位置して前記変動した表示が一定の時間経過後に停止して特定の表示を示し、遊技者にとって有利な特別遊技状態になったとき、一定の条件の下で開閉扉４８ａを所定回数開成させ一度に多くの入賞球が得られる入賞装置４８が配置される。そして、内側ガイドレール４５ａの内側であって左右両側に、本発明の表示装置Ａが装着される。
【００２３】
そして、例えば遊技部４２ａに打ち込まれたパチンコ球が始導入賞口４７に入賞し、可変表示器４６の表示部４６ａの変動する各表示が停止して特定の表示を示し、遊技者にとって有利な特別遊技状態になったときなどに、前記表示装置Ａを点灯または点滅させて発光させることにより遊技の興趣を盛り上げるようにしている。この際、表示装置ＡのＬＥＤ２２が発光すると、反射フィルム１４によって光が乱反射され、しかも反射フィルム１４前面で面状にキラキラと光り輝くので、立体感が出て遊技者にインパクトを与えるような十分な表示効果が得られる。
【図面の簡単な説明】
【００２４】
【図１】本発明に係る表示装置の斜視図。
【図２】同分解斜視図。
【図３】同遊技盤に装着した状態の縦断面図。
【図４】（イ）本発明の反射フィルムの拡大断面図。                                    （ロ）他の実施の形態の反射フィルムの拡大断面図。
【図５】他の実施の形態のカバー部材の断面図。
【図６】本発明が適用されるパチンコ遊技機の正面図。
【符号の説明】
【００２５】
４        カバー部材
７        リフレクタ
７ａ      リフレクタ本体
１４      反射フィルム
２２      発光源（ＬＥＤ）
Ａ        表示装置
Ｐ        パチンコ遊技機
【図１】
2005125008.tif 000003
【図２】
2005125008.tif 000004
【図３】
2005125008.tif 000005
【図４】
2005125008.tif 000006
【図５】
2005125008.tif 000007
【図６】
2005125008.tif 000008